(57)【特許請求の範囲】
【請求項１】
複数の鉤部を一体に設けた鉤摺動杆が基枠の内側に上下に摺動可能に配設され、該基枠の一部にシリンダ錠が取り付けられ、該シリンダ錠の錠軸の先端に前記鉤摺動杆と係合するカム部材が固定され、前記基枠が遊技機の表枠に縦に取付けられ、遊技機の本体枠及びガラス枠に取付けられた受け金具に前記鉤部が係止されて該表枠及びガラス枠を施錠する遊技機用施錠装置であって、
前記鉤摺動杆は、表枠・ガラス枠兼用の鉤摺動杆として表枠用鉤部とガラス枠用鉤部が一体に形成され、前記基枠は横断面をＵ字状とするＵ字状本体を有して形成され、該鉤摺動杆の表枠用鉤部の基部に表枠用ロック部材が揺動可能に枢支され、該鉤摺動杆のガラス枠用鉤部の基部にガラス枠用ロック部材が揺動可能に枢支され、該鉤摺動杆にはロック解除用の摺動部材が摺動可能に装着され、該鉤摺動杆、該表枠用ロック部材、該ガラス枠用ロック部材、及び摺動部材は、該Ｕ字状本体の内側に摺動可能に収容され、該表枠用ロック部材は、施錠状態において該表枠用鉤部が係止される受け金具と係止可能な位置まで回動する一方、シリンダ錠による解錠操作時には、該摺動部材によってロックが解除される位置に回動し、該ガラス枠用ロック部材は、施錠状態において該ガラス枠用鉤部が係止される受け金具と係止可能な位置まで回動する一方、シリンダ錠による解錠操作時に、該摺動部材によってロックが解除される位置に回動することを特徴とする遊技機用施錠装置。
【請求項２】
前記ロック解除用の摺動部材には、前記カム部材が係合可能なカム係合部が設けられると共に、上記表枠用ロック部材の係合凸部と係合可能な第１係合部と、ガラス枠用ロック部材の係合凸部に係合可能な第２係合部が設けられ、該カム部材の回動に伴い、該摺動部材は前記鉤摺動杆に沿って摺動し、該摺動部材の第１係合部を該表枠用ロック部材の係合凸部に作用してそのロックを解除し、該摺動部材に設けた第２係合部を該ガラス枠用ロック部材の係合凸部に作用してそのロックを解除することを特徴とする請求項１記載の遊技機用施錠装置。
【請求項３】
前記基枠の一部に捻りばねを取り付け、該捻りばねの両端を上記鉤摺動杆に係合させ、該鉤摺動杆の摺動時に、該捻りばねによって、該鉤摺動杆の原位置への復帰力を生じさせることを特徴とする請求項１または２記載の遊技機用施錠装置。
【請求項４】
前記表枠用ロック部材及びガラス枠用ロック部材には前記受け金具に係止可能な係止凸部が設けられ、該係止凸部を該受け金具に係止可能な位置まで回動させるためのコイルばねが、該表枠用ロック部材及び該ガラス枠用ロック部材に装着されたことを特徴とする請求項１または２記載の遊技機用施錠装置。
【発明の詳細な説明】
【技術分野】
【０００１】
本発明は、パチンコ機、スロットマシンなどの遊技機の施錠装置に関し、特に、遊技機の前面枠（表枠、前扉）を本体枠（筐体）に対し施錠し、且つガラス枠を前面枠に対し施錠する施錠装置において、比較的簡単な構成により、不正解錠を防止し得る遊技機用施錠装置に関する。
【背景技術】
【０００２】
例えば、パチンコ機の前面枠を本体枠に対し施錠する施錠装置として、下記特許文献１に記載されるように、断面Ｌ字状の取付板と支持板からなる基枠の内側に摺動杆が摺動可能に配設され、摺動杆の上部と下部に鉤部が側方に突出して形成され、取付板の中間部にシリンダ錠がその錠軸を取付板に設けた孔から内側に差込むように固定され、錠軸の先端に摺動杆と係合するカム部材が固定されてなる施錠装置が、使用されている。
【特許文献１】実開平２−３７８４号公報
【特許文献２】特許第３３０７８９５号公報
【発明の開示】
【発明が解決しようとする課題】
【０００３】
この種の施錠装置は、前面枠を施錠するために、前面枠を本体枠に対し閉じると、本体枠側に固定した受け金具の係止部に、摺動杆の上部と下部の鉤部が当たり、鉤部が摺動杆と共に解錠方向に一旦移動しながら元の位置に戻ってそのフック状の係止部分に係止され、施錠される。
【０００４】
しかしながら、この種の施錠装置では、摺動杆と鉤部が一体に形成され、施錠状態において、不正解錠をしようとする者が、前面枠の隙間から針金などを差し込み、その先端を摺動杆や鉤部の一部に引っ掛けて、解錠方向に引いた場合、摺動杆が上下の鉤部と共に、解錠側に摺動するため、不正解錠が比較的容易に行なわれ易いという課題があった。
【０００５】
そこで、従来、上記特許文献２などにおいて、シリンダ錠の操作時を除き、施錠状態の摺動杆の摺動をロックするロック部材を摺動杆に枢支し、施錠状態の摺動杆をロックするようにしたパチンコ機の施錠装置が提案されている。
【０００６】
しかしながら、この従来の施錠装置は、ガラス枠を施錠する鉤部材、前面枠を施錠する鉤部材を、基枠の上部と下部に各々傾動可能に枢支すると共に、各上下の鉤部材を摺動杆により連結し、さらに、２本の摺動杆に各々ロック部材を枢支すると共に、これを付勢するばね部材、及びシリンダ錠による前面枠またはガラス枠の開放時にロックを解除するロック解除部材を取り付ける必要があり、構造が複雑化すると共に部品点数が増大する課題があった。
【０００７】
本発明は、上記の課題を解決するためになされたもので、表枠とガラス枠の両方を施錠する遊技機用施錠装置において、少ない部品点数と簡易な構造により、表枠とガラス枠の施錠機構の両方の不正解錠を、効果的に防止することができる遊技機用施錠装置を提供することを目的とする。
【課題を解決するための手段】
【０００８】
上記の目的を達成するために、本発明の遊技機用施錠装置は、
複数の鉤部を一体に設けた鉤摺動杆が基枠の内側に上下に摺動可能に配設され、該基枠の一部にシリンダ錠が取り付けられ、該シリンダ錠の錠軸の先端に前記鉤摺動杆と係合するカム部材が固定され、前記基枠が遊技機の表枠に縦に取付けられ、遊技機の本体枠及びガラス枠に取付けられた受け金具に前記鉤部が係止されて該表枠及びガラス枠を施錠する遊技機用施錠装置であって、
前記鉤摺動杆は、表枠・ガラス枠兼用の鉤摺動杆として表枠用鉤部とガラス枠用鉤部が一体に形成され、前記基枠は横断面をＵ字状とするＵ字状本体を有して形成され、該鉤摺動杆の表枠用鉤部の基部に表枠用ロック部材が揺動可能に枢支され、該鉤摺動杆のガラス枠用鉤部の基部にガラス枠用ロック部材が揺動可能に枢支され、該鉤摺動杆にはロック解除用の摺動部材が摺動可能に装着され、該鉤摺動杆、該表枠用ロック部材、該ガラス枠用ロック部材、及び摺動部材は、該Ｕ字状本体の内側に摺動可能に収容され、該表枠用ロック部材は、施錠状態において該表枠用鉤部が係止される受け金具と係止可能な位置まで回動する一方、シリンダ錠による解錠操作時には、該摺動部材によってロックが解除される位置に回動し、該ガラス枠用ロック部材は、施錠状態において該ガラス枠用鉤部が係止される受け金具と係止可能な位置まで回動する一方、シリンダ錠による解錠操作時に、該摺動部材によってロックが解除される位置に回動することを特徴とする。
【０００９】
ここで、上記ロック解除用の摺動部材には、上記カム部材が係合可能なカム係合部が設けられ、該カム部材の回動に伴い摺動し、該摺動部材に設けた第１係合部を上記表枠用ロック部材の係合凸部に作用してそのロックを解除し、該摺動部材に設けた第２係合部を上記ガラス枠用ロック部材の係合凸部に作用してそのロックを解除するように構成することができる。
【００１０】
また、上記基枠の一部に捻りばねを取り付け、該捻りばねの両端を上記鉤摺動杆に係合させ、該鉤摺動杆の摺動時に、該捻りばねによって、該鉤摺動杆に、その原位置への復帰力を生じさせる構成とすることができる。
【００１１】
また、上記表枠用ロック部材及びガラス枠用ロック部材には、上記受け金具に係止可能な係止凸部を設ける共に、該係止凸部を該受け金具に係止可能な位置まで回動させるためのコイルばねを、該表枠用ロック部材及び該ガラス枠用ロック部材に装着するように構成することができる。
【発明の効果】
【００１２】
上記構成の遊技機用施錠装置によれば、表枠・ガラス枠兼用の鉤摺動杆に、表枠用鉤部とガラス枠用鉤部が一体形成され、そのガラス枠用鉤部の基部にガラス枠用ロック部材を枢支し、表枠用鉤部の基部に表枠用ロック部材を枢支し、その鉤摺動杆に沿ってロック解除用の摺動部材を摺動可能に装着したから、表枠用の施錠機構とガラス枠用の施錠機構の両方を、各々施錠状態でロックする機構を、非常に少ない部品点数で構成することができ、施錠装置の製造時の組立工数を削減し、少ない製造コストで、信頼性の高い施錠装置を製造することが可能となる。
【００１３】
また、表枠用ロック部材とガラス枠用ロック部材を用いたロック機構は、その係止凸部を受け金具に対し係止可能な位置に回動させ、施錠状態の鉤摺動杆のロックを行うため、ロック機構の構造を非常に簡単化すると共に、表枠用ロック部材、ガラス枠用ロック部材を含む部品の寸法精度を低くすることができ、組み付け時の調整が不要となり、施錠装置を安価に製造することができる。
【００１４】
また、表枠・ガラス枠兼用の鉤摺動杆の移動時に原位置への復帰力を生じさせるために、捻りばねを使用するから、ばね部材の数を少なくすることができる。
【００１５】
さらに、基枠に断面をＵ字状としたＵ字状本体が使用され、表枠・ガラス枠兼用の鉤摺動杆、表枠用ロック部材、ガラス枠用ロック部材、及びロック解除用の摺動部材がそのＵ字状本体内に収容されるため、基枠に必要な曲げ強度を保持しつつ、基枠の外形を細くスリムに形成することができる。これにより、施錠装置が占めるパチンコ機の表枠内の占有空間を少なくし、表枠内の空間に余裕を持たせて、内部の電気機器や機械部品の配置設計の自由度を向上させることができる。
【発明を実施するための最良の形態】
【００１６】
以下、本発明の実施例を図面に基づいて説明する。図１は施錠装置の正面図を、図２はその右側面図及び平面図を示し、図３はその背面図を、図４はその左側面図を示している。１は施錠装置のフレームとなる縦長の基枠であり、基枠１は、横断面を略Ｕ字状としたＵ字状本体２を備え、Ｕ字状本体２の下部寄り正面側に、シリンダ錠取付用の錠取付板４が、板を外側に直角に曲折した形状に、突設されている。図１，図３などに示すように、このＵ字状本体２は、その正面と背面形状がその側面形状に比べ非常に細く形成され、細い本体に拘らず断面をＵ字状とすることにより、必要な曲げ強度を充分に有する構造となっている。
【００１７】
さらに、Ｕ字状本体２は、図１に示すように、その正面側が開口しており、Ｕ字状本体２の開口した正面左側の上部と中間部に、取付片部３が左側に突出して設けられる。取付片部３には取付孔が形成され、取付孔に固定ねじを挿通し、パチンコ機の表枠の内側に固定ねじをねじ込み、基枠１を固定する構造となっている。また、シリンダ錠７を取り付ける錠取付板４にも取付孔が設けられ、基枠１の取付時、固定ねじがその取付孔に挿通され、錠取付板４が表枠の内側に固定ねじにより固定される。
【００１８】
図６に示すように、錠取付板４には、シリンダ錠７の取付用の異形取付孔及び捻りばね９の取付用の取付孔が穿設されている。さらに、図３に示すように、Ｕ字状本体２は、その背面側がＵ字状の底部となって閉鎖されるが、そのＵ字状本体２の背面閉鎖部分の上部と下部に、開口部５，６が形成され、その開口部５，６から、表枠・ガラス枠兼用の鉤摺動杆１０における表枠用鉤部１１，１２が、背面側に突出するようになっている。
【００１９】
さらに、錠取付板４に固定されるシリンダ錠７の錠軸７ａには、カム部材８が固定され、そのカム部材８は、Ｕ字状本体２の内側に摺動可能に配設されるロック解除用の摺動部材２０に係合してこれを摺動させると共に、表枠・ガラス枠兼用の鉤摺動杆１０を摺動させるように作用する。このために、図５、図６に示す如く、カム部材８の第１係合凸部８ａと第２係合凸部８ｂが、Ｕ字状本体２の内側に進入できるように、カム用開口部２ａがＵ字状本体２の左側面に形成されている。
【００２０】
また、表枠・ガラス枠兼用の鉤摺動杆１０におけるカム部材８の対応箇所にはカム係合部１６が形成され、第１係合凸部８ａが、カム部材８の図３の反時計方向への回動時に、そのカム係合部１６に係合して、鉤摺動杆１０を下方に摺動させ、表枠用鉤部１１，１２を解錠動作させる。また、カム係合部１６の下方にはカム係合部１７が形成され、第２係合凸部８ｂが、カム部材８の図３の時計方向への回動時に、そのカム係合部１７に係合して、鉤摺動杆１０を上方に摺動させ、ガラス枠用鉤部１３，１４を解錠動作させるようになっている。
【００２１】
つまり、図５、図６に示すように、Ｕ字状本体２の内側に、表枠・ガラス枠兼用の鉤摺動杆１０が上下に摺動可能に配設されるが、この表枠・ガラス枠兼用の鉤摺動杆１０には、図８などに示すように、フック状の表枠用鉤部１１，１２が背面側の上部と下部に突設され、フック状のガラス枠用鉤部１３，１４がその正面側の上部と中間部下寄りに突設されている。
【００２２】
図５などに示す如く、フック状の表枠用鉤部１１，１２は、上向きに形成され、鉤摺動杆１０が捻りばね９の付勢力に抗して下降し原位置に復帰上昇するとき、本体枠側の受け金具５３，５４に係止されて施錠状態となる。他方、ガラス枠用鉤部１３，１４は、下向きに形成され、鉤摺動杆１０が捻りばね９の付勢力に抗して上昇し原位置に復帰下降するとき、表枠側の受け金具５５，５６に係止されて施錠状態となるようになっている。
【００２３】
また、この表枠・ガラス枠兼用の鉤摺動杆１０は、上昇時にはガラス枠用鉤部１３，１４が受け金具５５，５６から外れ、下降時には表枠用鉤部１１，１２が受け金具から外れるところ、その鉤摺動杆１０の上昇時または下降時の移動量を充分に確保するために、表枠用鉤部１１，１２にはその基部の縦方向に段部から切れ込むようにスリットが形成されている。さらに、ガラス枠用鉤部１３，１４は、図１４に示すように、その基部に段差部を付けて形成され、ガラス枠用鉤部１４の施錠状態で、鉤摺動杆１０の上下の移動量を充分に確保するようにしている。
【００２４】
さらに、図５に示すように、鉤摺動杆１０には、上部、中間部、及び下部の３箇所にガイド孔１５が縦方向に形成され、また、鉤摺動杆１０のカム部材８に対応した位置には、カム部材８の第１係合凸部８ａが係合可能なカム係合部１６が形成され、カム部材８の第２係合凸部８ｂが係合可能なカム係合部１７がその下側に形成される。さらに、カム係合部１６，１７の上方の鉤摺動杆１０には、捻りばね９の両先端部を係合させるためのばね係合部１９が、図５のように、スリット状に形成されている。捻りばね９は、図１２に示すように、錠取付板４にケース９ａを介して取り付けられ、ばねの両先端部は、Ｕ字状本体２内に挿入され、鉤摺動杆１０のばね係合部１９に係合して、装着される。
【００２５】
このような鉤摺動杆１０は、図５、図６のように、基枠１のＵ字状本体２の内部に摺動可能に挿入され、上記の各ガイド孔１５にガイドピン１８が挿通され、それらのガイドピン１８の先端がＵ字状本体２に固定され、所定の範囲で鉤摺動杆１０は上下に摺動可能となっている。このように、表枠とガラス枠の両方を施錠する鉤部材が、１本の鉤摺動杆１０によって構成されるため、各鉤部を別個に設ける場合に比べ、部品点数を大きく低減することができる一方、それらの部品を取り付ける際の工数を大幅に削減することができる。
【００２６】
さらに、図５に示すように、この鉤摺動杆１０の下側の表枠用鉤部１２の基部には、表枠用ロック部材３０が枢支ピン３４により揺動可能に枢支される。また、鉤摺動杆１０の下側のガラス枠用鉤部１４の基部には、ガラス枠用ロック部材４０が枢支ピン４４により揺動可能に枢支される。
【００２７】
この表枠用ロック部材３０は、表枠用鉤部１１，１２が施錠状態にあるとき、鉤摺動杆１０の解錠（下）方向への移動をロックするものであり、図５に示すように、表枠用ロック部材３０の上部に係止凸部３２を略Ｌ字状に形成し、下部に係合凸部３１を設けて形成される。この表枠用ロック部材３０には、コイルばね３３が鉤摺動杆１０との間にかけられ、コイルばね３３は、この表枠用ロック部材３０をロックする方向に付勢し、この表枠用鉤部１１，１２が本体枠側の受け金具に係止されて施錠状態となったとき、表枠用ロック部材３０を受け金具の反対側に係止可能としてロックするものである。そして、シリンダ錠７による解錠操作の際には、後述のロック解除用の摺動部材２０により揺動して、ロックを解除する構造である。
【００２８】
一方、ガラス枠用ロック部材４０は、ガラス枠用鉤部１３，１４が施錠状態にあるとき、鉤摺動杆１０の解錠（上）方向への移動をロックするものであり、図５に示すように、ガラス枠用ロック部材４０の下部に係止凸部４２を略Ｌ字状に形成し、上部寄りの右側に係合凸部４１を設けて形成される。このガラス枠用ロック部材４０には、コイルばね４３が鉤摺動杆１０との間にかけられ、コイルばね４３は、このガラス枠用ロック部材４０をロックする方向に付勢し、このガラス枠用鉤部１３，１４が本体枠側の受け金具に係止されて施錠状態となったとき、ガラス枠用ロック部材４０を受け金具の反対側に係止可能としてロックするものである。そして、シリンダ錠７による解錠操作の際には、後述のロック解除用の摺動部材２０により揺動して、ロックを解除する構造である。
【００２９】
上構成の表枠・ガラス枠兼用の鉤摺動杆１０は、上記表枠用ロック部材３０とガラス枠用ロック部材４０を装着した状態で、基枠１のＵ字状本体２内に、摺動可能に挿入され、複数のガイドピン１８とガイド孔１５の係合により所定の範囲で上下に摺動可能に取り付けられ、このとき、図２、図４に示すように、その表枠用鉤部１１，１２はＵ字状本体２の開口部５，６から背面側に突出し、下の開口部６からは表枠用ロック部材３０の係止凸部３２も背面側に突出する。また、ガラス枠用鉤部１３，１４はＵ字状本体２の正面側（シリンダ錠側）に突出し、下側のガラス枠用鉤部１４に付属したガラス枠用ロック部材４０の係止凸部４２も正面側に突出する。
【００３０】
上記のように、Ｕ字状本体２の左側部に錠取付板４が突設され、この錠取付板４にはシリンダ錠７と捻りばね９が取り付けられるが、この錠取付板４にはシリンダ錠挿入用の異形孔が形成され、この異形孔にシリンダ錠７が背面側から挿通され、そのフランジ７ｂを錠取付板４の内側に当て、固定ねじにより内側から締付固定される。シリンダ錠７の錠軸７ａの先端には、カム部材８が固定される。カム部材８は、図６に示すように、第１係合凸部８ａと第２係合凸部８ｂをＵ字状本体２の内側に差し込むように設けて形成され、図３の反時計方向にカム部材８が回動したとき、第１係合凸部８ａが鉤摺動杆１０のカム係合部１６に係合し、時計方向にカム部材８が回動したとき、第２係合凸部８ｂが鉤摺動杆１０のカム係合部１７に係合するようになっている。
【００３１】
また、シリンダ錠７の上方における錠取付板４の内側（背面側）に、図３に示す如く、表枠・ガラス枠兼用の鉤摺動杆１０を上方と下方の両方に付勢するために、捻りばね９が装着される。この捻りばね９は、略扇形のばねケース９ａに収納する形態で取り付けられ、捻りばね９の両端部が、Ｕ字状本体２内に差し込まれ、表枠・ガラス枠兼用の鉤摺動杆１０の対応位置に形成されたばね係合部（スリット孔）１９に係合する。これにより、表枠・ガラス枠兼用の鉤摺動杆１０が上または下に摺動したとき、捻りばね９の両端部が付勢力に抗して接近し、このとき発生する捻りばね９のばね力が鉤摺動杆１０に作用する。よって、この捻りばね９は、１本で、鉤摺動杆１０の上昇と下降の両方にばね力を生じさせ、表枠・ガラス枠兼用の鉤摺動杆１０を原位置（施錠位置）に復帰移動させる構造となっている。
【００３２】
さらに、鉤摺動杆１０の下部寄りには、図５に示すように、ロック解除用の摺動部材２０が所定の範囲で上下に摺動可能に装着され、鉤摺動杆１０と共にＵ字状本体２内に配設される。この摺動部材２０は、その中間部に、上記カム部材８の第１係合凸部８ａと第２係合凸部８ｂが係合するカム係合部２３，２４を設けており、また、その上端部には、第１係合部２１が上記ガラス枠用ロック部材４０の係合凸部４１に係合するように設けられ、その下端部には、第２係合部２２が上記表枠用ロック部材３０の係合凸部３１に係合するように設けられる。
【００３３】
摺動部材２０の上部寄りにガイド孔２５が縦方向に形成され、ガイドピン２６がそのガイド孔２５に挿入され、その先端が表枠・ガラス枠兼用の鉤摺動杆１０に固定され、これにより、摺動部材２０は、鉤摺動杆１０に対しガイド孔２５の範囲で上下に摺動可能である。
【００３４】
このような構造により、この摺動部材２０は、カム部材８の回動に応じて、つまりシリンダ錠７の回動操作により、図３の反時計方向にカム部材８が回動したとき、その第１係合凸部８ａがカム係合部２３に係合して、摺動部材２０が下方に摺動し、その第２係合部２２が表枠用ロック部材３０の係合凸部３１に当たり、ロックを外す方向に表枠用ロック部材３０を回動させる。
【００３５】
他方、シリンダ錠７により図３の時計方向にカム部材８が回動したとき、その第２係合凸部８ｂがカム係合部２４に係合して、摺動部材２０が上方に摺動し、その第１係合部２１がガラス枠用ロック部材４０の係合凸部４１に当たり、ロックを外す方向にガラス枠用ロック部材４０を回動させるようになっている。
【００３６】
このように構成された施錠装置は、図９〜図１１に示すように、パチンコ機における例えば合成樹脂製の表枠５１の自由端側の内側に、シリンダ錠７の先端を前面に露出させ、鉤摺動杆１０の表枠用鉤部１１，１２をパチンコ機の本体枠５０側に突出した状態で、取付片部３、錠取付板４の取付孔に固定ねじを挿入してねじこみ、縦に取付けられる。
【００３７】
一方、本体枠５０の内側の表枠用鉤部１１，１２に対応した上下位置には、受け金具５３，５４が固定される。受け金具５３，５４には鉤部が係止される係止板が突設される。また、表枠５１の前面に開閉可能に装着されたガラス枠５２には、ガラス枠用鉤部１３，１４に対応した位置に、ガラス枠の受け金具５５，５６が設けられる。受け金具５５，５６には鉤部が係止される係止板が突設される。
【００３８】
図１０に示すように、この施錠装置は、パチンコ機の表枠５１の自由端側縁部の内側に、縦に取り付けられるが、図２に示す如く、その基枠１の右側面に何れの解錠用部材も現れず、ロック解除用の摺動部材２０を含む表枠・ガラス枠兼用の鉤摺動杆１０は、Ｕ字状本体２を有する基枠１の内側に収納され、基枠１の背面側は表枠用鉤部１１，１２の突出部を除き、閉鎖される。このため、不正解錠の際に、本体枠５０と表枠５１の自由端側の隙間から、針金などが差し込まれたとしても、ロック解除用の摺動部材２０を含む表枠・ガラス枠兼用の鉤摺動杆１０に、針金等の不正器具は到達せず、その種の不正解錠を、効果的に防止することができる。
【００３９】
また、図９に示すように、基枠１のＵ字状本体２は正面視において非常に薄く形成され、パチンコ機の表枠５１内において、施錠装置が占有する占有空間を非常に少なくすることができ、これにより、表枠５１内に装着される電気機器や機械部品などの配置設計の自由度を増すことができる。
【００４０】
次に、上記構成の遊技機用施錠装置の動作を説明する。パチンコ機における表枠５１を本体枠５０に対し閉じると、図１５に示すように、先ず、施錠装置の上下の表枠用鉤部１１，１２の先端傾斜部が本体枠５０側の受け金具５３，５４に当る。
【００４１】
そして、表枠用鉤部１１，１２と一体の鉤摺動杆１０は、下方への力を受け、下方へ摺動し、表枠用鉤部１１，１２は受け金具５３，５４との係合を増していく。さらに、表枠用ロック部材３０の係止凸部３２に受け金具５３，５４が接触する状態となると、図１５に示すように、表枠用ロック部材３０が図の反時計方向に僅かに回動し、受け金具５３，５４が表枠用鉤部１１，１２の係止部に係止される状態となると、捻りばね９の付勢力により鉤摺動杆１０が原位置に復帰する（上昇する）と共に、図１５の右図のように、表枠用鉤部１１，１２が受け金具５３，５４に係止されて施錠状態となる。
【００４２】
このとき、表枠用ロック部材３０が僅かに図１５の時計方向に回動し、受け金具５３，５４を挟んで表枠用鉤部１１，１２の真上に表枠用ロック部材３０の係止凸部３２が位置する。なお、表枠用鉤部１１，１２の施錠時には鉤摺動杆１０が上下に摺動し、このとき一体であるガラス枠用鉤部１３，１４も上下に摺動するが、上記のように、ガラス枠用鉤部１３，１４は、施錠状態であっても、段差部を有しているため、ガラス枠用の受け金具５５，５６の係止面を摺動し、鉤摺動杆１０の下動が阻害されることはない。
【００４３】
これにより、受け金具５４の上下を表枠用鉤部１２と表枠用ロック部材３０の係止凸部３２が挟む状態となり、つまり、鉤摺動杆１０の下降時に係止凸部３２を受け金具５４に当てて係止可能とし、その結果、表枠用ロック部材３０を枢支し且つ表枠用鉤部１１，１２を有した鉤摺動杆１０の下動が阻止され、ロックされる。よって、このような施錠状態では、表枠と本体枠の隙間から針金等を差し込み、鉤摺動杆１０を下に摺動させようとしても、摺動は不可能となり、表枠５１の不正解錠を防止することができる。
【００４４】
一方、表枠５１を解錠する場合は、キーによってシリンダ錠７の錠軸７ａを回し、カム部材８を図３の反時計方向に回転させる。このとき、図１６に示すように、カム部材８の第１係合凸部８ａは先ずロック解除用の摺動部材２０のカム係合部２３に係合してこれを僅かに押し下げる。
【００４５】
この摺動部材２０の下降により、その下端の第２係合部２２が、表枠用鉤部１２の基部に枢支された表枠用ロック部材３０の係合凸部３１に当たり、これを僅かに押し下げる。これにより、表枠用ロック部材３０が、図１６の如く、僅かに反時計方向に回動し、このとき、表枠用ロック部材３０の係止凸部３２が受け金具５４の係止位置から外れ、表枠用鉤部１２のロックが外される。
【００４６】
次に、カム部材８の第１係合凸部８ａは、さらに下方に回動することにより、摺動部材２０の奥に位置する鉤摺動杆１０のカム係合部１６に係合して、これを押し下げて下降させる。この鉤摺動杆１０の下降により、図１６のように、表枠用鉤部１１，１２が下降し、これによって、表枠用鉤部１１，１２と本体枠５０の受け金具５３，５４との係合が外れ、表枠５１は解錠され、開放可能な状態となる。
【００４７】
一方、表枠５１内のガラス枠５２を表枠５１に対し閉じる際には、ガラス枠５２を表枠５１に対し押して閉じる。このとき、図１７のように、ガラス枠５２の内側に設けた受け金具５５，５６が、まず、鉤摺動杆１０のガラス枠用鉤部１３、１４の頭部の傾斜面に当り、これを鉤摺動杆１０と共に下方に摺動させ、係止位置に達したとき、捻りばね９の付勢力により鉤摺動杆１０が原位置に（下方に）戻ることにより、図１７の右図の如く、受け金具５５，５６にガラス枠用鉤部１３、１４が係止され、ガラス枠５２は施錠状態となる。
【００４８】
このとき、ガラス枠用ロック部材４０が僅かに図１７の時計方向に回動し、受け金具５５，５６を挟んでガラス枠用鉤部１３，１４の真下にガラス枠用ロック部材４０の係止凸部４２が位置する。つまり、鉤摺動杆１０の上昇時には係止凸部４２が受け金具５６に係止可能となり、鉤摺動杆１０の上昇が阻止され、不正解錠が防止される。なお、ガラス枠用鉤部１３，１４の施錠時には鉤摺動杆１０が上下に摺動し、このとき一体である表枠用鉤部１１，１２も上下に摺動するが、上記のように、表枠用鉤部１１，１２は、施錠状態であっても、図１６などに示すように、その係止段部の元部にスリットを有しているため、表枠用の受け金具５３，５４の係止面を奥まで摺動することができ、鉤摺動杆１０の下降動作が阻害されることはない。
【００４９】
これにより、受け金具５６の上下をガラス枠用鉤部１４とガラス枠用ロック部材４０の係止凸部４２が挟む状態となり、つまり、鉤摺動杆１０の上昇時には係止凸部４２が受け金具５６に係止可能となり、その結果、ガラス枠用ロック部材４０を枢支し且つガラス枠用鉤部１３，１４を有した鉤摺動杆１０の上昇動作が阻止され、ロックされる。よって、このような施錠状態では、表枠と本体枠の隙間から針金等を差し込み、鉤摺動杆１０を摺動させようとしても、解錠方向への鉤摺動杆１０の移動は不可能となり、ガラス枠５２の不正解錠を防止することができる。
【００５０】
一方、ガラス枠５２を解錠する場合は、キーによってシリンダ錠７の錠軸７ａを回し、カム部材８を図３の時計方向に回転させる。このとき、図１８に示すように、カム部材８の第２係合凸部８ｂは先ずロック解除用の摺動部材２０のカム係合部２４に係合してこれを僅かに押し上げる。
【００５１】
この摺動部材２０の上昇により、その上端の第１係合部２１が、ガラス枠用鉤部１４の基部に枢支されたガラス枠用ロック部材４０の係合凸部４１に当たり、これを僅かに押し上げる。これによって、ガラス枠用ロック部材４０が、図１８の如く、僅かに反時計方向に回動し、このとき、ガラス枠用ロック部材４０の係止凸部４２が受け金具５６の係止位置から外れ、ガラス枠用鉤部１４のロックが外される。
【００５２】
次に、カム部材８の第２係合凸部８ｂは、さらに上方に回動することにより、摺動部材２０の奥の鉤摺動杆１０のカム係合部１７に係合し、これを押し上げて上昇させる。この鉤摺動杆１０の上昇により、図１８のように、ガラス枠用鉤部１３，１４が上昇し、これによって、ガラス枠用鉤部１３，１４とガラス枠５２の受け金具５５，５６との係合が外れ、ガラス枠５２は解錠され、開放可能な状態となる。
【００５３】
このように、表枠・ガラス枠兼用の鉤摺動杆１０に、表枠用鉤部１１，１２とガラス枠用鉤部１３，１４が一体形成され、そのガラス枠用鉤部１４の基部にガラス枠用ロック部材４０を枢支し、表枠用鉤部１２の基部に表枠用ロック部材３０を枢支し、その鉤摺動杆１０に沿って１本のロック解除用の摺動部材２０を摺動可能に装着しているため、表枠用の施錠機構とガラス枠用の施錠機構の両方を、各々施錠状態でロックする機構を、非常に少ない部品点数で構成することができ、施錠装置の製造時の組立工数を削減し、少ない製造コストで、信頼性の高い施錠装置を製造することが可能となる。
【００５４】
また、表枠用ロック部材３０とガラス枠用ロック部材４０を用いたロック機構は、その端部の係止凸部３２と係止凸部４２を受け金具５４，５６に係止可能な構造として、施錠状態の鉤摺動杆１０のロックを行うため、ロック機構の構造を非常に簡単化することができる。また、表枠用ロック部材３０、ガラス枠用ロック部材４０を含む部品の寸法精度は高くする必要がなく、ラフで充分となり、組み付け時の調整も不要となる。このため、施錠装置を安価に製造することができる。
【００５５】
また、表枠・ガラス枠兼用の鉤摺動杆１０の上昇または下降動作時、原位置への復帰力を生じさせる戻しばねとして、１本捻りばね９を使用するため、ばね部材の数を少なくすることができる。
【００５６】
さらに、基枠１に断面をＵ字状としたＵ字状本体２が使用され、表枠・ガラス枠兼用の鉤摺動杆１０、表枠用ロック部材３０、ガラス枠用ロック部材４０、及びロック解除用の摺動部材２０がそのＵ字状本体２内に収容されるため、基枠１に必要な曲げ強度を保持しつつ、基枠１の外形を細くスリムに形成することができる。これにより、施錠装置が占める表枠５１内の占有空間を少なくし、表枠５１内の空間に余裕を持たせて、内部の電気機器や機械部品の配置設計の自由度を上げることができる。
【図面の簡単な説明】
【００５７】
【図１】本発明の一実施例を示す施錠装置の正面図である。
【図２】同施錠装置の右側面図（ａ）とその平面図（ｂ）である。
【図３】同施錠装置の背面図である。
【図４】同施錠装置の左側面図である。
【図５】同施錠装置に分解右側面図である。
【図６】同施錠装置に分解背面図である。
【図７】基枠１の右側面図（ａ）、同背面図（ｂ）、同正面図（ｃ）及び同平面図（ｄ）である。
【図８】鉤摺動杆の右側面図（ａ）と同背面図（ｂ）である。
【図９】パチンコ機に施錠装置を取り付けた状態の概略正面図である。
【図１０】パチンコ機に施錠装置を取り付けた状態の概略右側面図である。
【図１１】パチンコ機に施錠装置を取り付けた状態の概略平面図である。
【図１２】施錠装置の要部と受け金具の配置を示す拡大部分背面図である。
【図１３】施錠装置の要部と受け金具の配置を示す拡大部分平面図である。
【図１４】ガラス枠用鉤部と受け金具の係止状態を示す斜視図である。
【図１５】表枠を本体枠に対し閉じて施錠する際の説明図である。
【図１６】表枠を解錠する際の説明図である。
【図１７】ガラス枠を表枠に対し閉じて施錠する際の説明図である。
【図１８】ガラス枠を解錠する際の説明図である。
【符号の説明】
【００５８】
１      基枠
２      Ｕ字状本体
３      取付片部
４      錠取付板
７      シリンダ錠
７ａ    錠軸
８      カム部材
８ａ    第１係合凸部
８ｂ    第２係合凸部
１０    鉤摺動杆
１１    表枠用鉤部
１２    表枠用鉤部
１３    ガラス枠用鉤部
１４    ガラス枠用鉤部
１６    カム係合部
１７    カム係合部
２０    摺動部材
３０    表枠用ロック部材
３１    係合凸部
３２    係止凸部
３４    枢支ピン
４０    ガラス枠用ロック部材
４１    係合凸部
４２    係止凸部
４４    枢支ピン
５０    本体枠
５１    表枠
５２    ガラス枠
５３    受け金具
５４    受け金具
５５    受け金具
５６    受け金具
【図１】
0005188195.tif 000002
【図２】
0005188195.tif 000003
【図３】
0005188195.tif 000004
【図４】
0005188195.tif 000005
【図５】
0005188195.tif 000006
【図６】
0005188195.tif 000007
【図７】
0005188195.tif 000008
【図８】
0005188195.tif 000009
【図９】
0005188195.tif 000010
【図１０】
0005188195.tif 000011
【図１１】
0005188195.tif 000012
【図１２】
0005188195.tif 000013
【図１３】
0005188195.tif 000014
【図１４】
0005188195.tif 000015
【図１５】
0005188195.tif 000016
【図１６】
0005188195.tif 000017
【図１７】
0005188195.tif 000018
【図１８】
0005188195.tif 000019